(57)【要約】【課題】通気面積を可及的に大きくでき、かつ撥水性通気シートを容易に交換することができる気体試料採集用アダプタを提供すること。【解決手段】断面円形で、周面に通孔が形成された有底状の枠体本体１と、枠体本体１の開口１ｂに係合可能な蓋体２と、枠体本体１に収容可能で、かつ枠体本体１と蓋体２とに形成されたテーパ部４，５により径を減少させるように巻き上げが可能で、周面に通孔３ａを有する巻板３と、巻板３に巻回される撥水性通気シート７とからなり、蓋体２、または枠体本体１の底部に吸引口を形成して撥水性通気シート７の内面側に負圧を作用させてサンプリングを実行する。【選択図】        図３
2004271491.tif 000002
【特許請求の範囲】
【請求項１】
断面円形で、周面に通孔が形成された有底状の枠体本体と、前記枠体本体の開口に係合可能な蓋体と、前記枠体本体に収容可能で、かつ前記蓋体と枠体本体とに形成されたテーパ部により径を減少させるように巻き上げが可能で、周面に通孔を有する巻板と、前記巻板に巻回される撥水性通気シートとからなり、前記蓋体、または前記枠体本体の底部に接続口を形成して前記通気シートの内面側に負圧を作用させてサンプリングを実行する気体試料採集用アダプタ。
【請求項２】
前記巻板の内面側に突起が形成され、また前記撥水性通気シートに前記突起が進入可能な切り込みが形成されている請求項１に記載の気体試料採集用アダプタ。
【請求項３】
前記接続口には、前記有底状の枠体本体により形成される空間の内部に延びる延長部が形成されている請求項１に記載の気体試料採集用アダプタ。
【発明の詳細な説明】
【０００１】
【発明の属する技術分野】
本発明は、測定環境の気体をポンプにより吸引して測定装置に供給する場合の気体試料採集用アダプタに関する。
【０００２】
【従来の技術】
従来、マンホールや地下洞道などへ入構する際には、安全確保のために有毒ガスの有無の検出が行われているが、溜水が存在する場合が多く、サンプリング用のポンプが溜水を気体とともに吸引してしまい測定装置を破損するという問題がある。
このため、特許文献１に示されているように、試料採集器は筒状体の両端部に撥水性通気シートを気密的に固定して浮力を確保しつつ、両端部の撥水性通気シートを介して気体のみを採集するように構成したアダプタが提案されている。
【特許文献１】実公平８−２５９３号公報
【０００３】
【発明が解決しようとする課題】
しかしながら、筒状体の両端の開口にのみ撥水性通気シートを取り付ける関係上、通気面積が少なくガスの吸引に大きな吸引力のポンプを必要とするという問題がある。
本発明はこのような問題に鑑みてなされたものであって、その目的とするところは、通気面積を可及的に大きくでき、かつ撥水性通気シートを容易に交換することができる気体試料採集用アダプタを提供することである。
【０００４】
【課題を解決するための手段】
このような問題を解消するために本発明においては、断面円形で、周面に通孔が形成された有底状の枠体本体と、前記枠体本体の開口に係合可能な蓋体と、前記枠体本体に収容可能で、かつ前記蓋体と枠体本体とに形成されたテーパ部により径を減少させるように巻き上げが可能で、周面に通孔を有する巻板と、前記巻板に巻回される撥水性通気シートとからなり、前記通気シートの内面側に負圧を作用させてサンプリングを実行するように構成されている。
【０００５】
【作用】
撥水性通気シートが筒状に成形されているため、通気面積が大きく、吸引能力の低いポンプで十分な被検ガスをサンプリングすることができる。
【０００６】
【発明の実施の態様】
そこで以下に本発明の詳細を図示した実施例に基づいて説明する。
図１は、本発明の気体試料採集用アダプタの一実施例を示すものであって、断面円形で、周面にのみ通孔１ａが形成された枠体本体１と、枠体本体１の開口１ｂに係合可能な蓋体２と、通気用の通孔３ａが形成された枠体本体１に収容可能な巻板３とにより構成されている。
【０００７】
枠体本体１と蓋体２との対向面、つまり枠体本体１の底部１ｃと、蓋体２の内面にはそれぞれ巻板３の両端を中心方向に弾圧するテーパ部４，５が形成され、また蓋体２の中心に吸引口６が形成されている。巻板３の端部には望ましくは斜面部３ｂ、３ｃ斜面が形成されていて、この斜面部３ｂ、３ｃは巻かれた状態ではテーパを形成するように構成されている。なお、内面側には撥水性通気シート７に形成された切断部や窓７ａに進入可能な複数の突起３ｄが形成されている。
【０００８】
この実施例において、図２に示したように巻板３の長さよりも若干幅が広く、かつ巻き付け当初に相互が重なる程度の長さに成型された撥水性通気シート７を、その窓７ａを巻板３の突起３ｄに引っ掛けて巻板３の外周面に巻き付け、他方の端部を割れ目３ｅに挟み込んで巻板本体１に挿入する。
【０００９】
この状態で、蓋体２を締め付けると、巻板３の両端に枠体本体１、及び蓋体２のテーバ部４，５が巻板３の端部に当接し、蓋体２の軸方向（図中矢印Ａ、Ａ’）への相対移動に伴って巻板３が撥水性通気シート７とともに矢印Ｂ、Ｃの方向に巻き上げられて径が減少する。
【００１０】
このようにして、巻板３の割れ目３ｅが相互に当接するまで蓋体２を締め上げると、両端部から突出しているシート７がテーパ部４，５と巻板３の端部とに挟まれてシート７の弾性によりパッキン材として機能し、また割れ目３ｅのシート同士の密着により液密性が確保される。
【００１１】
この状態で、サンプリング流路を形成するチューブを吸引口６に接続してサンプリングを開始すると、被測定気体は、枠体本体１の通孔３ａから空間１０（図３（ロ））に進入し、円筒状に形成された撥水性通気シート７を通過して巻板３の内部に流入する。このため、大きな取り込み面積が確保できて、小さい通気抵抗で被測定気体を吸引することができる。
【００１２】
この状態で、被測定環境に外部から水が浸入すると、気体試料採集用アダプタは、撥水性通気シート７により少なくとも巻板３の容積分の空間により浮力を生じるため、水面に浮上して少なくとも周面の一部が大気に露出する。この状態では水は撥水性通気シート７により通過を阻止され、水面から露出した領域から気体だけが吸引可能となり、被測定環境への水の浸入に関わり無くサンプリングが可能となる。
【００１３】
長期の使用により撥水性通気シート７に目詰まりが生じた場合には、蓋体２を外して巻板３を取り出し、撥水性通気シート７を交換して前述と同様に組み立てて使用する。
【００１４】
なお、上述の実施例においては、撥水性通気シート７に切れ目を入れて巻板の内面の突起３ｄに固定するようにしているが、接着テープなどで仮止めして巻き付けても同様の作用を奏する。
【００１５】
また、上述の実施例においては、蓋体２に吸引口６を形成しているが、枠体本体１の底部に形成しても同様の作用を奏することは明らかである。
【００１６】
ところで、サンプリング中に内部に水が侵入した場合、これに気付かずに吸引口６を下方として持ち上げると、内部の水が吸引口６に流れ込み、サンプリングが実行されているような場合には測定手段に水が浸入するという不都合が生じる。
図４（イ）は、このような不都合の発生を防止する構造を備えたものであって、この実施例においては吸引口６の空間１０側を空間１０の適宜の位置、この実施例では中心近傍まで延びる延長部６’が形成されている。
【００１７】
この実施例によれば、内部に水が浸入した状態で吸引口６を下方とするように持ち上げても、水は延長部６’の先端６ａ’に到達できないから、たとえサンプリング状態であっても測定手段に水が流れ込むを防止できる。
【００１８】
なお、上述の実施例においては吸引口６を蓋体２に形成し、蓋体２に延長部６’を形成しているが、図４（ロ）に示したように枠体本体１の底部１ａに吸引口６を設けた場合には、底部６ａから突出させるように形成しても同様の作用を奏する。
【図面の簡単な説明】
【図１】本発明の気体試料採集用アダプタの一実施例を示す図である。
【図２】図（イ）、（ロ）は、それぞれ巻板に撥水性通気シートを巻き付けた状態を示す正面図と、気体試料採集用アダプタとして組み立てられた状態を示す断面図である。
【図３】図（イ）、（ロ）は、それぞれ気体試料採集用アダプタに組み立てる過程を示す図である。
【図４】図（イ）、（ロ）は、それぞれ発明の他の実施例を示す断面図である。
【符号の説明】
１  枠体本体
２  蓋体
３  巻板
６  吸引口
６’  延長部
７  撥水性通気シート
【図１】
2004271491.tif 000003
【図２】
2004271491.tif 000004
【図３】
2004271491.tif 000005
【図４】
2004271491.tif 000006